(57)【要約】【課題】  主被写体の選択が可能な撮像装置において、利便性のよい合焦表示を実現する。【解決手段】  画像から被写体を検出し、検出した被写体から主被写体を選択する。主被写体が合焦した場合、主被写体がユーザの指示に基づいて選択されていれば、主被写体に対応する焦点検出領域についての焦点検出の結果と、予め定められた被写界深度内の、主被写体以外の被写体に対応する焦点検出領域についての焦点検出の結果の違いに関わらず、予め定められた被写界深度内の被写体についての合焦表示を、主被写体についての合焦表示の表示形態が主被写体以外の被写体についての合焦表示の表示形態とは異なるように表示する。【選択図】  図８
2018097380.tif 000002
【特許請求の範囲】
【請求項１】
レンズユニットを通じて得られた画像から被写体を検出する検出手段と、
前記検出手段が検出した複数の被写体から主被写体を選択する選択手段と、
前記検出手段が検出した複数の被写体に応じた複数の焦点検出領域を設定する設定手段と、
前記設定手段が設定した複数の焦点検出領域で焦点検出を行う焦点検出手段と、
前記主被写体が合焦した場合、
前記主被写体が、前記主被写体を選択するユーザ指示に基づいて前記選択手段により選択されていれば、前記主被写体に対応する焦点検出領域についての前記焦点検出の結果と、前記レンズユニットの予め定められた被写界深度内の、前記主被写体以外の被写体に対応する焦点検出領域についての前記焦点検出の結果の違いに関わらず、前記予め定められた被写界深度内の被写体についての合焦表示を、前記主被写体についての前記合焦表示の表示形態が前記主被写体以外の被写体についての前記合焦表示の表示形態とは異なるように表示し、
前記主被写体が前記主被写体を選択するユーザ指示に基づいて前記選択手段により選択されていなければ、前記予め定められた被写界深度内の、前記主被写体を含む被写体についての合焦表示を、同じ表示形態で表示するように制御する
制御手段と、
を有することを特徴とする撮像装置。
【請求項２】
前記主被写体が、前記主被写体を選択するユーザ指示に基づいて、あるいは検出された複数の被写体それぞれについて前記制御手段によって得られる被写体情報に基づいて選択され、
前記主被写体が前記主被写体を選択するユーザ指示に基づいて選択されていれば、前記制御手段は、前記合焦表示として、前記主被写体に対応する焦点検出領域を表す枠画像と、前記予め定められた被写界深度内の前記主被写体以外の被写体に対応する焦点検出領域を表す枠画像とを、色、太さ、および点滅速度の少なくとも１つについて異ならせて表示するように制御し、
前記主被写体が前記被写体情報に基づいて選択されていれば、前記制御手段は、前記合焦表示として、前記主被写体に対応する焦点検出領域を表す枠画像と、前記予め定められた被写界深度内の前記主被写体以外の被写体に対応する焦点検出領域を表す枠画像とを、同じ表示形態で表示するように制御する、
ことを特徴とする請求項１に記載の撮像装置。
【請求項３】
前記枠画像のそれぞれが、対応する焦点検出領域、もしくは前記被写体の領域を表すことを特徴とする請求項２に記載の撮像装置。
【請求項４】
前記検出手段が前記被写体として人物の顔を検出することを特徴とする請求項１に記載の撮像装置。
【請求項５】
レンズユニットを通じて得られた画像から被写体を検出する検出手段と、
前記検出手段が検出した複数の被写体から主被写体を選択する選択手段と、
前記検出手段が検出した複数の被写体に応じた複数の焦点検出領域を設定する設定手段と、
前記設定手段が設定した複数の焦点検出領域で焦点検出を行う焦点検出手段と、
制御手段と、を有する撮像装置であって、
前記制御手段は、（ｉ）前記主被写体に対応する焦点検出領域についての前記焦点検出の結果と、（ｉｉ）前記レンズユニットの被写界深度内の、前記主被写体以外の被写体に対応する前記焦点検出領域についての前記焦点検出の結果とを表す指標の表示を制御し、
前記制御手段は、前記主被写体が前記主被写体を選択するユーザ指示に基づいて選択されている場合、前記主被写体に対応する前記焦点検出領域についての前記焦点検出の結果を表す指標を表示し、前記レンズユニットの被写界深度内の、前記主被写体以外の被写体に対応する前記焦点検出領域についての前記焦点検出の結果を表す指標は表示せず、
前記制御手段は、前記主被写体が前記制御手段によって取得された被写体情報に基づいて選択されている場合、（ｉ）前記主被写体に対応する焦点検出領域についての前記焦点検出の結果と、（ｉｉ）前記レンズユニットの被写界深度内の、前記主被写体以外の被写体に対応する焦点検出領域についての前記焦点検出の１つ以上の結果と、を示す指標を表示する、
ことを特徴とする撮像装置。
【請求項６】
前記制御手段は、前記被写界深度内の前記主被写体以外の被写体に対応する前記焦点検出領域についての前記焦点検出の結果を表示するか否かを、設定に基づいて決定することを特徴とする請求項５に記載の撮像装置。
【請求項７】
前記検出手段が前記被写体として人物の顔を検出することを特徴とする請求項５に記載の撮像装置。
【請求項８】
撮像装置の制御方法であって、
レンズユニットを通じて得られた画像から被写体を検出する検出工程と、
前記検出工程で検出した複数の被写体から主被写体を選択する選択工程と、
前記検出工程で検出した複数の被写体に応じた複数の焦点検出領域を設定する設定工程と、
前記設定工程で設定した複数の焦点検出領域で焦点検出を行う焦点検出工程と、
前記主被写体が合焦した場合、
前記主被写体が、前記主被写体を選択するユーザ指示に基づいて選択されていれば、前記主被写体に対応する焦点検出領域についての前記焦点検出の結果と、前記レンズユニットの予め定められた被写界深度内の、前記主被写体以外の被写体に対応する焦点検出領域についての前記焦点検出の結果の違いに関わらず、前記予め定められた被写界深度内の被写体についての合焦表示を、前記主被写体についての前記合焦表示の表示形態が前記主被写体以外の被写体についての前記合焦表示の表示形態とは異なるように表示し、
前記主被写体が前記主被写体を選択するユーザ指示に基づいて選択されていなければ、前記予め定められた被写界深度内の、前記主被写体を含む被写体についての合焦表示を、同じ表示形態で表示する表示工程と、
を有することを特徴とする撮像装置の制御方法。
【請求項９】
撮像装置の制御方法であって、
レンズユニットを通じて得られた画像から被写体を検出する検出工程と、
前記検出工程で検出した複数の被写体から主被写体を選択する選択工程と、
前記検出工程で検出した複数の被写体に応じた複数の焦点検出領域を設定する設定工程と、
前記設定工程で設定した複数の焦点検出領域で焦点検出を行う焦点検出工程と、
（ｉ）前記主被写体に対応する焦点検出領域についての前記焦点検出の結果と、（ｉｉ）前記レンズユニットの被写界深度内の、前記主被写体以外の被写体に対応する前記焦点検出領域についての前記焦点検出の結果とを表す指標を表示する表示工程と、を有し、
前記選択工程において前記主被写体が前記主被写体を選択するユーザ指示に基づいて選択されている場合、前記表示工程では前記主被写体に対応する前記焦点検出領域についての前記焦点検出の結果を表す指標を表示し、前記レンズユニットの被写界深度内の、前記主被写体以外の被写体に対応する前記焦点検出領域についての前記焦点検出の結果を表す指標は表示せず、
前記主被写体が前記撮像装置の制御手段によって取得された被写体情報に基づいて選択されている場合、前記表示工程では（ｉ）前記主被写体に対応する焦点検出領域についての前記焦点検出の結果と、（ｉｉ）前記レンズユニットの被写界深度内の、前記主被写体以外の被写体に対応する焦点検出領域についての前記焦点検出の１つ以上の結果と、を示す指標を表示する、
ことを特徴とする撮像装置の制御方法。
【請求項１０】
レンズユニットを通じて得られた画像から被写体を検出する検出手段と、
前記検出手段が検出した複数の被写体から主被写体を選択する選択手段と、
前記検出手段が検出した複数の被写体に応じた複数の焦点検出領域を設定する設定手段と、
前記設定手段が設定した複数の焦点検出領域で焦点検出を行う焦点検出手段と、
前記主被写体が合焦した場合、前記主被写体が、前記主被写体を選択するユーザ指示に基づいて前記選択手段により選択されていれば、前記主被写体に対応する焦点検出領域についての前記焦点検出の結果と、前記レンズユニットの予め定められた被写界深度内の、前記主被写体以外の被写体に対応する焦点検出領域についての前記焦点検出の結果の違いに関わらず、前記予め定められた被写界深度内の被写体についての合焦表示を、前記主被写体についての前記合焦表示の表示形態が前記主被写体以外の被写体についての前記合焦表示の表示形態とは異なるように表示する制御手段と、
を有することを特徴とする撮像装置。
【請求項１１】
レンズユニットを通じて得られた画像から被写体を検出する検出手段と、
前記検出手段が検出した複数の被写体から主被写体を選択する選択手段と、
前記検出手段が検出した複数の被写体に応じた複数の焦点検出領域を設定する設定手段と、
前記設定手段が設定した複数の焦点検出領域で焦点検出を行う焦点検出手段と、
前記焦点検出の結果の表示を制御する制御手段と、を有し、
前記制御手段は、前記主被写体に対応する焦点検出領域についての前記焦点検出の結果と、前記レンズユニットの被写界深度内の、前記主被写体以外の１つ以上の被写体に対応する１つ以上の前記焦点検出領域についての前記焦点検出の結果を表示するように制御を行い、
前記制御手段は、前記主被写体に対応する前記焦点検出領域についての前記焦点検出の結果と、前記レンズユニットの被写界深度内の、前記主被写体以外の被写体に対応する前記焦点検出領域についての前記焦点検出の結果との違いに関わらず、前記主被写体に対応する焦点検出領域についての前記焦点検出の前記結果と、前記レンズユニットの被写界深度内の、前記主被写体以外の１つ以上の被写体に対応する前記１つ以上の焦点検出領域についての前記焦点検出の１つ以上の結果とを表示するように制御を行う、
ことを特徴とする撮像装置。
【請求項１２】
レンズユニットを通じて得られた画像から被写体を検出する検出手段と、
前記検出手段が検出した複数の被写体から主被写体を選択する選択手段と、
前記検出手段が検出した複数の被写体に応じた複数の焦点検出領域を設定する設定手段と、
前記設定手段が設定した複数の焦点検出領域で焦点検出を行う焦点検出手段と、
前記焦点検出の結果の表示を制御する制御手段と、を有し、
前記主被写体が、前記主被写体を選択するユーザ指示に基づいて、あるいは検出された被写体それぞれについて前記制御手段によって得られる被写体情報に基づいて選択され、
前記制御手段は、前記主被写体を選択するユーザ指示に基づいて選択された前記主被写体に対する前記焦点検出の結果と、前記被写体情報に基づいて選択された前記主被写体に対する前記焦点検出の結果とを異なる表示形態で表示するように制御し、
前記制御手段は、（ｉ）前記主被写体に対応する焦点検出領域についての前記焦点検出の結果と、（ｉｉ）前記レンズユニットの被写界深度内の前記主被写体以外の１つ以上の被写体に対応する１つ以上の焦点検出領域についての１つ以上の前記焦点検出の結果との両方を表示するように制御し、
前記制御手段は、前記主被写体に対応する前記焦点検出領域についての前記焦点検出の結果と、前記レンズユニットの被写界深度内の、前記主被写体以外の被写体に対応する前記焦点検出領域についての前記焦点検出の結果との違いに関わらず、（ｉ）前記主被写体に対応する焦点検出領域についての前記焦点検出の結果と、（ｉｉ）前記レンズユニットの被写界深度内の前記主被写体以外の１つ以上の被写体に対応する１つ以上の焦点検出領域についての１つ以上の前記焦点検出の結果とを、異なる表示形態で表示するように制御する、
ことを特徴とする撮像装置。
【請求項１３】
レンズユニットを通じて得られた画像から被写体を検出する検出手段と、
前記検出手段が検出した複数の被写体から主被写体を選択する選択手段と、
前記検出手段が検出した複数の被写体に応じた複数の焦点検出領域を設定する設定手段と、
前記設定手段が設定した複数の焦点検出領域で焦点検出を行う焦点検出手段と、
前記焦点検出の結果の表示を制御する制御手段と、を有し、
前記主被写体が、前記主被写体を選択するユーザ指示に基づいて、あるいは検出された被写体それぞれについて前記制御手段によって得られる被写体情報に基づいて選択され、
前記制御手段は、前記主被写体を選択するユーザ指示に基づいて選択された前記主被写体に対する前記焦点検出の結果と、前記被写体情報に基づいて選択された前記主被写体に対する前記焦点検出の結果とを異なる表示形態で表示するように制御し、
前記制御手段は、（ｉ）前記主被写体に対応する焦点検出領域についての前記焦点検出の結果を表示し、（ｉｉ）前記レンズユニットの被写界深度内の前記主被写体以外の１つ以上の被写体に対応する１つ以上の焦点検出領域についての１つ以上の前記焦点検出の結果を表示しないように制御する、
ことを特徴とする撮像装置。
【請求項１４】
レンズユニットを通じて得られた画像から被写体を検出する検出手段と、
前記検出手段が検出した複数の被写体から主被写体を選択する選択手段と、
前記検出手段が検出した複数の被写体に応じた複数の焦点検出領域を設定する設定手段と、
前記設定手段が設定した複数の焦点検出領域で焦点検出を行う焦点検出手段と、
前記焦点検出の結果の表示を制御する制御手段と、を有し、
前記主被写体が、前記主被写体を選択するユーザ指示に基づいて、あるいは検出された被写体それぞれについて前記制御手段によって得られる被写体情報に基づいて選択され、
前記制御手段は、前記主被写体を選択するユーザ指示に基づいて選択された前記主被写体に対する前記焦点検出の結果と、前記被写体情報に基づいて選択された前記主被写体に対する前記焦点検出の結果とを異なる表示形態で表示するように制御し、
前記制御手段は、前記主被写体が前記主被写体を選択するユーザ指示に基づいて選択されている場合、（ｉ）前記主被写体に対応する焦点検出領域についての前記焦点検出の結果を表示し、（ｉｉ）前記レンズユニットの被写界深度内の前記主被写体以外の１つ以上の被写体に対応する１つ以上の焦点検出領域についての１つ以上の前記焦点検出の結果を表示しないように制御する、
ことを特徴とする撮像装置。
【請求項１５】
レンズユニットを通じて得られた画像から被写体を検出する検出手段と、
前記検出手段が検出した複数の被写体から主被写体を選択する選択手段と、
前記検出手段が検出した複数の被写体に応じた複数の焦点検出領域を設定する設定手段と、
前記設定手段が設定した複数の焦点検出領域で焦点検出を行う焦点検出手段と、
前記主被写体が合焦した場合、前記主被写体が、前記主被写体を選択するユーザ指示に基づいて前記選択手段により選択されていれば、前記主被写体に対応する焦点検出領域についての前記焦点検出の結果と、前記レンズユニットの予め定められた被写界深度内の、前記主被写体以外の被写体に対応する焦点検出領域についての前記焦点検出の結果の違いに関わらず、前記予め定められた被写界深度内の被写体についての合焦表示を、前記主被写体についての前記合焦表示の表示形態が前記主被写体以外の被写体についての前記合焦表示の表示形態とは異なるように表示するように制御する制御手段と、
を有することを特徴とする撮像装置。
【発明の詳細な説明】
【技術分野】
【０００１】
本発明は、撮像装置及びその制御方法に関し、特に被写体の合焦表示のための技術に関する。
【背景技術】
【０００２】
従来、撮像装置、特に自動合焦（オートフォーカス）機能を有する撮像装置においては、合焦させた被写体を撮影者に示すための表示（合焦表示）を行うものがある。
【０００３】
特許文献１では、複数の測距フレームの被写体がそれぞれ被写界深度内にあるか否かを検知し、被写界深度内に存在する被写体の測距フレームに対応する位置に表示を行うことが開示されている。
【０００４】
また、特許文献２には、被写界深度内にあると判別された測距枠を表示する撮像装置において、撮像光学系の焦点距離に応じて被写界深度内にあるか否かを判別するための合焦度の閾値を変更することが開示されている。
【先行技術文献】
【特許文献】
【０００５】
【特許文献１】特開平４−９９３２号公報
【特許文献２】特開平５−２３２３７１号公報
【発明の概要】
【発明が解決しようとする課題】
【０００６】
従来技術によれば、被写界深度内にある被写体の確認は容易となるが、被写界深度内の被写体を示す表示が多くなると画面表示が煩雑になる場合がある。
【０００７】
例えば、ユーザによって主被写体選択が可能な撮像装置を用いた撮影時に、選択した主要被写体とほぼ同じ距離に複数の被写体が存在したとする。この場合、それら全ての被写体に関して被写界深度内であることを示す表示が行われると、主要被写体の識別が困難となり、利便性が損なわれてしまう。
【０００８】
本発明はこのような従来技術の課題を解決するためになされたものであり、具体的には主被写体の選択が可能な撮像装置において、利便性のよい合焦表示を実現することを目的とする。
【課題を解決するための手段】
【０００９】
上述の目的は、レンズユニットを通じて得られた画像から被写体を検出する検出手段と、検出手段が検出した複数の被写体から主被写体を選択する選択手段と、検出手段が検出した複数の被写体に応じた複数の焦点検出領域を設定する設定手段と、設定手段が設定した複数の焦点検出領域で焦点検出を行う焦点検出手段と、主被写体が合焦した場合、主被写体が、主被写体を選択するユーザ指示に基づいて選択手段により選択されていれば、主被写体に対応する焦点検出領域についての焦点検出の結果と、レンズユニットの予め定められた被写界深度内の、主被写体以外の被写体に対応する焦点検出領域についての焦点検出の結果の違いに関わらず、予め定められた被写界深度内の被写体についての合焦表示を、主被写体についての合焦表示の表示形態が主被写体以外の被写体についての合焦表示の表示形態とは異なるように表示し、主被写体が主被写体を選択するユーザ指示に基づいて選択手段により選択されていなければ、予め定められた被写界深度内の、主被写体を含む被写体についての合焦表示を、同じ表示形態で表示するように制御する制御手段と、を有することを特徴とする撮像装置によって達成される。
【発明の効果】
【００１０】
このような構成により、本発明によれば、主被写体の選択が可能な撮像装置において、利便性のよい合焦表示を実現することができる。
【図面の簡単な説明】
【００１１】
【図１】本発明の第１の実施形態に係る撮像装置の一例としてのデジタルカメラ１００の構成例を示すブロック図である。
【図２】本発明の第１の実施形態に係るデジタルカメラ１００の全体的な動作を説明するフローチャートである。
【図３】本発明の第１の実施形態に係るデジタルカメラ１００が行う静止画記録モード処理の一例を示すフローチャートである。
【図４】本発明の第１の実施形態に係るデジタルカメラ１００が行う顔検出処理の一例を示すフローチャートである。
【図５】本発明の第１の実施形態に係るデジタルカメラ１００が行う撮影処理の一例を示すフローチャートである。
【図６】本発明の第１の実施形態に係るデジタルカメラ１００が行う主顔選択処理の一例を示すフローチャートである。
【図７】本発明の第１の実施形態に係るデジタルカメラ１００が行う焦点検出処理の一例を示すフローチャートである。
【図８】本発明の第１の実施形態に係るデジタルカメラ１００が行う合焦表示処理の一例を示すフローチャートである。
【図９】本発明の実施形態に係るデジタルカメラ１００が行う合焦表示の例を示す図である
【図１０】本発明の第１の実施形態に係るデジタルカメラ１００が行うスルー表示の例を示す図である。
【図１１】本発明の第２の実施形態に係るデジタルカメラ１００が行う合焦表示処理の一例を示すフローチャートである。
【発明を実施するための形態】
【００１２】
以下、添付図面を参照して、本発明の好適かつ例示的な実施形態について詳細に説明する。
（第１の実施形態）
（デジタルカメラ１００の構成）
図１は、本発明の第１の実施形態に係る撮像装置の一例としてのデジタルカメラ１００の構成例を示すブロック図である。ただし、本実施形態における撮像装置は、デジタルカメラに限るものではなく、デジタルカメラとして動作する装置であってもよい。デジタルカメラとして動作する装置の一例としては、デジタルビデオカメラ、デジタルカメラ付き携帯電話、デジタルカメラ付きパーソナルコンピュータなどがある。
【００１３】
１０はレンズ部、１２は絞り機能を備えるシャッター、１４は光学像を電気信号に変換する撮像素子、１６は撮像素子１４からのアナログ画像信号をデジタル化し、画像データに変換するＡ／Ｄ変換器である。なお、撮像素子１４には、ＣＣＤイメージセンサ、ＣＭＯＳイメージセンサ等を用いることができる。
【００１４】
タイミング発生部１８は撮像素子１４、Ａ／Ｄ変換器１６、Ｄ／Ａ変換器２６にクロック信号や制御信号を供給し、メモリ制御部２２及びシステム制御部５０により制御される。
【００１５】
画像処理部２０は、Ａ／Ｄ変換器１６からの画像データ或いはメモリ制御部２２からの画像データに対して所定の画素補間処理や色変換処理を行う。
【００１６】
また、画像処理部２０においては、撮像した画像データを用いて所定の演算処理を行う。そして、得られた演算結果に基づいてシステム制御部５０が露光制御部４０、合焦制御部４２を制御し、ＴＴＬ（スルー・ザ・レンズ）方式のＡＦ（オートフォーカス）、ＡＥ（自動露出）、ＥＦ（フラッシュプリ発光）機能を実現している。
【００１７】
さらに、画像処理部２０においては、撮像した画像データを用いて所定の演算処理を行い、得られた演算結果に基づいてＴＴＬ方式のＡＷＢ（オートホワイトバランス）処理も行っている。
【００１８】
メモリ制御部２２は、Ａ／Ｄ変換器１６、タイミング発生部１８、画像処理部２０、画像表示メモリ２４、Ｄ／Ａ変換器２６、メモリ３０、圧縮伸長部３２を制御する。
【００１９】
Ａ／Ｄ変換器１６の出力データが画像処理部２０、メモリ制御部２２を介して、或いはＡ／Ｄ変換器１６の出力データが直接メモリ制御部２２を介して、画像表示メモリ２４或いはメモリ３０に書き込まれる。
【００２０】
画像表示メモリ２４に書き込まれた表示用の画像データは、Ｄ／Ａ変換器２６を介してＬＣＤや有機ＥＬディスプレイ等の画像表示部２８により表示される。撮像した画像データを画像表示部２８で逐次表示すれば、電子ビューファインダー（ＥＶＦ）機能を実現することが可能である。
【００２１】
また、画像表示部２８は、システム制御部５０の指示により任意に表示をＯＮ／ＯＦＦすることが可能であり、表示をＯＦＦにした場合にはデジタルカメラ１００の電力消費を大幅に低減することができる。
【００２２】
メモリ３０は撮影した静止画像や動画像を格納する記憶装置であり、所定枚数の静止画像や所定時間の動画像を格納するのに十分な記憶容量を備えている。そのため、複数枚の静止画像を連続して撮影する連続撮影やパノラマ撮影の場合にも、高速かつ大量の画像書き込みをメモリ３０に対して行うことが可能となる。
また、メモリ３０はシステム制御部５０の作業領域としても使用することが可能である。
【００２３】
圧縮伸長部３２は、メモリ３０に格納された画像データを読み込み、その画像データを所定の画像圧縮方法に従って圧縮し、圧縮された画像データをメモリ３０に書き込む。また、圧縮伸長部３２は、メモリ３０から圧縮された画像データを読み込み、その画像データを伸張し、伸張された画像データをメモリ３０に書き込むこともできる。なお、所定の画像圧縮方法には、JPEG、JPEG 2000等で規定された画像圧縮方法を使用することも、適応離散コサイン変換（ＡＤＣＴ）、ウェーブレット変換等を用いた画像圧縮方法を使用することもできる。
【００２４】
暗号復号部３４は、撮影してメモリ３０の所定領域に記憶した画像データに対して必要に応じて暗号化処理を行う。暗号復号部３４は、メモリ３０の所定領域に記憶した暗号化済の画像データを再生表示する際に復号化処理を行う。
【００２５】
露光制御部４０は絞り機能を備えるシャッター１２を制御するとともに、フラッシュ４８と連携することによりフラッシュ調光機能も有する。
合焦制御部４２はレンズ部１０のフォーカシングを制御し、ズーム制御部４４はレンズ部１０のズーミングを制御する。バリア制御部４６はレンズ部１０の保護を行うためのバリア１０２の動作を制御する。
【００２６】
フラッシュ４８は撮影時の補助光源として機能し、調光機能も有する。また、ＡＦ補助光の投光機能も有する。
露光制御部４０、合焦制御部４２はＴＴＬ方式を用いて制御されており、撮像した画像データを画像処理部２０によって演算した演算結果に基づき、システム制御部５０が露光制御部４０、合焦制御部４２に対して制御を行う。
【００２７】
システム制御部５０は例えばＣＰＵであり、システムメモリ５２に記憶されたプログラムを実行することによりデジタルカメラ１００全体を制御する。システムメモリ５２はシステム制御部５０の動作用の定数、変数、プログラム等を記憶する。
【００２８】
表示部５４は例えばＬＣＤやＬＥＤ、スピーカ等の出力装置の組み合わせにより構成され、システム制御部５０でのプログラムの実行に応じて、文字、画像、音声等を用いて動作状態やメッセージ等を出力する。表示部５４はデジタルカメラ１００の操作部７０近辺の視認し易い位置に、単数或いは複数設置される。また、表示部５４の一部は光学ファインダー１０４内に設置されている。
【００２９】
表示部５４の表示内容としては、例えば、メモリカード２００の取り外し状態、通信Ｉ／Ｆの動作状態、外部コンピュータとの接続状態等がある。この一部は光学ファインダー１０４内に表示される。
【００３０】
そして、表示部５４の表示内容のうち、ランプ等により表示するものとしては、例えば、セルフタイマー通知ランプ、等がある。このセルフタイマー通知ランプは、ＡＦ補助光と共用して用いても良い。
【００３１】
不揮発性メモリ５６は電気的に消去・記録可能なメモリであり、例えばＥＥＰＲＯＭ等が用いられる。不揮発性メモリ５６は、デジタルカメラ１００が用いる各種設定な初期値などを記憶する。
【００３２】
モードダイアル７２、第１シャッタースイッチ（ＳＷ１）６２、第２シャッタースイッチ（ＳＷ２）６４、電源スイッチ６０及び操作部７０は、システム制御部５０に所定の動作の開始、停止等を指示するための操作部材である。これらの操作部材は、ボタン、スイッチ、ダイアル、タッチパネル、視線検知装置、音声認識装置或いはこれらの組み合わせで構成される。
【００３３】
ここで、これらの操作部材の具体的な説明を行う。
モードダイアル７２は、例えば静止画記録モード（自動撮影モード、プログラム撮影モード、パノラマ撮影モード）、動画記録モード、再生モード、マルチ画面再生・消去モード、ＰＣ接続モード等の各機能モードを切り替え設定するためのスイッチである。
【００３４】
第１シャッタースイッチ（ＳＷ１）６２は、デジタルカメラ１００に設けられたシャッターボタン（図示せず）の第１ストローク（例えば半押し）でＯＮとなる。第１シャッタースイッチ（ＳＷ１）６２がＯＮにされた場合、ＡＦ（オートフォーカス）処理、ＡＥ（自動露出）処理、ＡＷＢ（オートホワイトバランス）処理、ＥＦ処理等が開始される。
【００３５】
第２シャッタースイッチ（ＳＷ２）６４は、デジタルカメラ１００に設けられたシャッターボタンの第２ストローク（例えば全押し）でＯＮとなり、露光処理、現像処理及び記録処理からなる一連の処理の開始を指示する。まず、露光処理では、撮像素子１４から読み出した信号をＡ／Ｄ変換器１６、メモリ制御部２２を介して画像データをメモリ３０に書き込み、更に、画像処理部２０やメモリ制御部２２での演算を用いた現像処理が行われる。更に、メモリ３０から画像データを読み出し、圧縮伸長部３２で圧縮を行い、メモリカード２００に画像データを書き込む記録処理が行われる。
電源スイッチ６０は、デジタルカメラ１００の電源オン及び電源オフを行うためのスイッチである。
【００３６】
操作部７０は、スイッチ、ボタン、回転ダイアルスイッチ、タッチパネル等の操作部材を有するユーザインターフェースである。後述する主顔選択ボタン及び主顔選択解除ボタンは、操作部７０に含まれる。撮影画像の画像記録モード、圧縮率、画質等は、操作部７０で選択できる。画像記録モードには、ＪＰＥＧモードとＲＡＷモードがある。ＪＰＥＧモードは、撮影画像をＪＰＥＧ圧縮方式で圧縮してメモリカード２００等に記録する画像記録モードである。ＲＡＷモードは、撮像素子１４からの信号をデジタル化して得たデジタルデータを圧縮せずに又はロスレス圧縮方式で圧縮してメモリカード２００等に記録する画像記録モードである。なお、ＪＰＥＧモードにおける圧縮率及び画質は、操作部７０で選択可能である。
【００３７】
縦位置検知センサ７５は、デジタルカメラ１００の姿勢が縦位置、横位置であるか検知するセンサである。
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、これらの検出の結果及びシステム制御部５０の指示に基づいてＤＣ−ＤＣコンバータを制御し、必要な電圧を必要な期間、メモリカード２００を含む各部へ供給する。
【００３８】
電源８６はアルカリ電池やリチウム電池等の一次電池やＮｉＣｄ電池やＮｉＭＨ電池、Ｌｉ電池等の二次電池、或いはＡＣアダプター等からなり、コネクタ８２及び８４によってデジタルカメラ１００に取り付けられる。
【００３９】
メモリカード２００は、取り外し可能な記憶媒体である。メモリカード２００には、ＳＤメモリカード、コンパクトフラッシュ（登録商標）、リムーバブルＨＤＤなどを用いることができる。メモリカード２００は、メモリ２０２と、カメラインターフェース２０４と、コネクタ２０６とを有する。メモリ２０２は、ランダムアクセス可能な不揮発性メモリである。カメラインターフェース２０４はデジタルカメラ１００側のカードインターフェース９０と通信可能であり、コネクタ２０６はカメラ側のコネクタ９２と接続可能である。なお、メモリカード２００の装着及び取り外しは、デジタルカメラ１００に内蔵されたカード検知部（不図示）によって検知される。
【００４０】
バリア１０２は、デジタルカメラ１００の、レンズ部１０を含む撮像部を覆う事により、撮像部の汚れや破損を防止する。
【００４１】
光学ファインダー１０４は例えばＴＴＬファインダーであり、プリズムやミラーを用いてレンズ部１０を通じた光束を結像する。光学ファインダー１０４を用いることで、画像表示部２８による電子ファインダー機能を使用すること無しに撮影を行うことが可能である。また、上述したように、光学ファインダー１０４内には、表示部５４の一部の機能、例えば、合焦表示、手振れ警告表示、フラッシュ充電表示、シャッタースピード表示、絞り値表示、露出補正表示などの情報表示がなされる。
【００４２】
有線通信部１１０は、ＲＳ２３２Ｃ、ＵＳＢ、ＩＥＥＥ１３９４、Ｐ１２８４、ＳＣＳＩ、モデム、ＬＡＮ等による通信を行う。コネクタ１１２は、有線通信部１１０によりデジタルカメラ１００と外部装置との通信を行う際に、ケーブルを接続するためのコネクタである。
【００４３】
無線通信部１１４は、ＩＥＥＥ８０２．１１ａ／ｂ／ｇ等の無線ＬＡＮ通信、Ｂｌｕｅｔｏｏｔｈ（登録商標）、ＩｒＤＡ等による通信を行う。アンテナ１１６は、無線通信部１１４によりデジタルカメラ１００と外部装置との通信を行う際に用いる。
【００４４】
識別情報記憶部１１８は、無線通信部１１４、アンテナ１１６を介して外部装置（不図示）と無線通信を行う際に、通信に先立って認証を行うための各種識別情報を格納する。識別情報記憶部１１８は、例えば書き換え可能な不揮発性メモリから構成される。
【００４５】
（全体動作）
図２は、本発明の第１の実施形態に係るデジタルカメラ１００の全体的な動作を説明するフローチャートである。
電源スイッチ６０が操作され電源がオンに切り替わると、Ｓ２０１においてシステム制御部５０はフラグや制御変数等を初期化する。初期化処理の中で、主顔選択フラグは解除される。続いて、Ｓ２０２において、システム制御部５０は、メモリカード２００に記録されているファイルに関する管理処理を開始する。
【００４６】
次に、Ｓ２０３、Ｓ２０５、Ｓ２０７において、システム制御部５０は、モードダイアル７２の設定位置を判断する。静止画記録モードに設定されていたならば処理はＳ２０３からＳ２０４へ進み、静止画記録モード処理を実行する。Ｓ２０４の静止画記録モード処理の詳細は図３を用いて後述する。モードダイアル７２が動画記録モードに設定されていたならば、処理はＳ２０３、Ｓ２０５を経てＳ２０６へ進み、動画記録モード処理を実行する。また、モードダイアル７２が再生モードに設定されていた場合、処理はＳ２０３、Ｓ２０５、Ｓ２０７を経てＳ２０８へ進み、再生モード処理を実行する。
【００４７】
また、その他のモードに設定されていた場合、処理はＳ２０９へ進み、システム制御部５０は選択されたモードに応じた処理を実行する。その他のモードとしては例えばメモリカード２００に格納されたファイルの送信を行う送信モード処理、外部機器からファイルを受信してメモリカード２００に格納する受信モード処理が含まれる。
【００４８】
Ｓ２０４、Ｓ２０６、Ｓ２０８、Ｓ２０９のうちのモードダイアル７２によって設定されたモードに対応した処理を実行した後、処理はＳ２１０へ進む。Ｓ２１０において、システム制御部５０は電源スイッチ６０の設定位置を判断する。電源スイッチ６０が電源オンに設定されていれば、Ｓ２０３に処理を戻す。一方、電源スイッチ６０が電源オフに設定されていたならば、処理はＳ２１０からＳ２１１へ進み、システム制御部５０は終了処理を行う。
【００４９】
終了処理には、例えば以下の処理が含まれる。すなわち、画像表示部２８の表示を終了状態に変更し、バリア１０２を閉じてレンズ部１０を保護し、フラグや制御変数等を含むパラメータや設定値、設定モードを不揮発性メモリ５６に記録し、電源供給が不要な部分への電源を遮断する。Ｓ２１１の終了処理が完了すると、システム制御部５０は、電源制御部８０を制御して電源をＯＦＦ状態へ移行させる。
【００５０】
（静止画記録モード）
図３は図２のＳ２０４における静止画記録モード処理の一例を示すフローチャートである。
なお、図３に示した静止画記録モード処理は、モードダイアル７２により他のモードへの切替が行われた場合や、電源スイッチ６０がＯＦＦにセットされた場合には終了するものとする。
【００５１】
システム制御部５０は、静止画記録モードを開始すると、Ｓ３０１において撮影モードを確定する。撮影モードの確定は、
（１）不揮発性メモリ５６より前回の静止画記録モード終了時における撮影モードを取得してシステムメモリ５２に格納する、或は、
（２）ユーザにより操作部７０が操作されて撮影モードの設定入力があった場合に、その設定入力された撮影モードをシステムメモリ５２に格納する、
ことでなされる。
【００５２】
ここで、撮影モードとは撮影シーンに適したシャッター速度や絞り値、ストロボ発光状態、感度設定等を組み合わせて実現されるモードのことである。本実施形態のデジタルカメラ１００は例えば以下のような撮影モードを有するものとする。
【００５３】
・オートモード：カメラの各種パラメータが、計測された露出値に基づいてデジタルカメラ１００に組み込まれたプログラムにより自動的に決定されるモード、
・マニュアルモード：カメラの各種パラメータをユーザが自由に変更可能なモード、
・シーンモード：撮影シーンに適したシャッター速度や絞り値、ストロボ発光状態、感度設定等の組み合わせが自動で設定される。
【００５４】
また、シーンモードには以下のようなモードが含まれるものとする。
・ポートレートモード：背景をぼかして人物を浮き立たせるようにして人物撮影に特化したモード、
・夜景モード：人物にストロボ光をあて背景を遅いシャッター速度で記録する、夜景シーンに特化したモード、
・風景モード：広がりのある風景シーンに特化したモード、
・ナイト＆スナップモード：三脚なしで夜景と人物をきれいに撮るのに適したモード、
・キッズ＆ペットモード：よく動き回る子供やペットをシャッターチャンスを逃さず撮影可能にしたモード、
・新緑＆紅葉モード：新緑等の木々や葉を色鮮やかに撮影するのに適したモード、
・パーティーモード：蛍光灯や電球のもとで、手振れを抑えて被写体に忠実な色味で撮影するモード、
・スノーモード：雪景色をバックにしても人物が暗くならず、青みも残さず撮影するモード、
・ビーチモード：太陽光の反射の強い海面や砂浜でも、人物などが暗くならずに撮影可能なモード、
・花火モード：打ち上げ花火を最適な露出で鮮やかに撮影するためのモード
・水族館モード：屋内の水槽内の魚などを撮影するのに適した感度、ホワイトバランス、色味を設定するモード、
・水中モード：水中に最適なホワイトバランスに設定し、青みを押さえた色合いで撮影するモード。
【００５５】
Ｓ３０２において、システム制御部５０は、Ｓ３０１において撮影モードが確定すると、続いて撮像素子１４からの画像データを画像表示部２８に逐次表示するスルー表示を開始させる。これにより、画像表示部２８はＥＶＦとして機能する。
【００５６】
続いて、Ｓ３０３において、システム制御部５０は、電源制御部８０を用いて電池等により構成される残容量や、メモリカード２００の有無や残容量がデジタルカメラ１００の動作に問題があるか否かを判定する。問題があるならば、システム制御部５０は、Ｓ３０４において、画像表示部２８を用いて画像や音声により所定の警告表示を行い、処理をＳ３０１に戻す。
【００５７】
メモリカード２００の状態に問題が無いならば、Ｓ３０５において、システム制御部５０は、必要に応じてＡＦ枠（焦点検出領域）の設定を行う。本実施形態において、ＡＦ枠は、操作部７０に含まれるメニューボタンを押すことで画像表示部２８に表示されるメニュー画面（不図示）や、操作部７０に含まれるＡＦ枠設定用の操作部材を操作することでユーザが任意に設定可能である。
【００５８】
本実施形態のデジタルカメラ１００では、ＡＦ枠設定の選択肢としては、
中央の１枠をＡＦエリアとする「中央」、
ＡＦエリアを操作部７０に含まれる操作部材によってユーザが任意の位置に移動可能な「アクティブ」、
９枠のＡＦエリアを設定し合焦動作を行う「ＡｉＡＦ」、
検出した顔位置に応じてＡＦエリアを設定する「顔優先」
が含まれるものとする。
【００５９】
システム制御部５０はＡＦ枠設定が「顔優先」であるか否かを判断し（Ｓ３２０）、「顔優先」でなければＳ３０７に進む。ＡＦ枠設定が「顔優先」である場合はＳ３０６に進む。
【００６０】
Ｓ３０６において、システム制御部５０は、スルー表示される画像中から被写体の一例としての人の顔（顔領域）が存在するか否かを検知する顔検出処理を行う。この、被写体検出処理の一例としての顔検出処理の詳細については図４を用いて後述する。システム制御部５０は、顔検出処理において顔領域が検出された場合、検出された顔領域の位置座標、サイズ（幅、高さ）、検出個数、信頼性係数等を顔情報としてシステムメモリ５２に記憶する。顔検出処理において顔領域が検出されなかった場合、システムメモリ５２内の顔情報に０を設定する。顔検出処理（Ｓ３０６）を終えたらＳ３２１に進む。
【００６１】
Ｓ３２１でシステム制御部５０は、システムメモリ５２に記憶された被写体情報の一例としての顔情報を参照し、検出された顔領域の中から主被写体の一例としての主顔領域を選択する。この主顔選択処理（Ｓ３２１）については図６を用いて後述する。
【００６２】
Ｓ３２１における主顔選択はユーザ操作によることもでき、本実施形態において、ユーザ操作により主顔が指定された場合、システム制御部５０は主顔選択フラグを設定する。
【００６３】
画像表示部２８によるスルー表示の例を図１０に示す。
図１０（ａ）は主顔選択フラグが設定されていない場合、すなわち撮像装置が主顔を自動で決定した場合の表示例を、図１０（ｂ）は、主顔選択フラグが設定されている場合の表示例をそれぞれ示す。
【００６４】
図１０（ａ）では主被写体の顔領域を示す白色の顔枠１２０と共に、他の被写体（主被写体以外の被写体）の顔領域にも灰色の顔枠１２１を表示している。なお、本実施形態においては、表示処理負荷および表示レートの関係上、スルー表示時に表示する顔枠の上限数を３としている。一方、図１０（ｂ）ではユーザが選択した主被写体についてのみ白色の顔枠１２０を表示している。
【００６５】
続いてＳ３０７において、システム制御部５０は、第１シャッタースイッチＳＷ１ ６２がＯＮか否かを判定する。第１シャッタースイッチＳＷ１ ６２がＯＦＦの場合は、処理はＳ３０５に戻り、Ｓ３０５、Ｓ３０６の処理を繰り返す。
【００６６】
一方、第１シャッタースイッチＳＷ１ ６２がＯＮの場合は、Ｓ３２２において、システム制御部５０は、合焦制御部４２を制御して焦点検出処理を行い、レンズ部１０の焦点を被写体に合わせ、Ｓ３０８に進む。この焦点検出処理については図７を用いて後述する。
【００６７】
Ｓ３０８において、システム制御部５０は、測光処理を行って絞り値及びシャッター時間（シャッタースピード）を決定する。なお、測光処理において、必要であればフラッシュの設定も行われる。このとき、Ｓ３０６において顔（顔領域）が検出されていれば、検出した顔の範囲で測光を行うようにすることも可能である。
【００６８】
次に、Ｓ３２３において、システム制御部５０は、Ｓ３２２における焦点検出結果を示す合焦表示を画像表示部２８に行う。この合焦表示処理の詳細は図８を用いて後述する。
【００６９】
次に、Ｓ３０９、Ｓ３１０では、第１シャッタースイッチＳＷ１ ６２と第２シャッタースイッチＳＷ２ ６４のＯＮ／ＯＦＦ状態を判定する。第１シャッタースイッチＳＷ１ ６２がＯＮした状態で第２シャッタースイッチＳＷ２ ６４がＯＮになると、処理はＳ３０９からＳ３１１へ進む。第１シャッタースイッチＳＷ１ ６２がＯＦＦになると（第２シャッタースイッチＳＷ２ ６４がＯＮせずに、更に第１シャッタースイッチＳＷ１ ６２も解除された場合）、処理はＳ３１０からＳ３０５へ戻る。また、第１シャッタースイッチＳＷ１ ６２がＯＮ、第２シャッタースイッチＳＷ２ ６４がＯＦＦの間は、Ｓ３０９，Ｓ３１０の処理が繰り返される。
【００７０】
第２シャッタースイッチＳＷ２ ６４がＯＮになると、Ｓ３１１において、システム制御部５０は、画像表示部２８の表示状態をスルー表示から固定色表示状態に設定する。そして、Ｓ３１２において、システム制御部５０は、各部を制御して露光処理や現像処理を含む撮影処理を実行する。なお、露光処理では、Ａ／Ｄ変換器１６を経て得られた画像データ、或いはＡ／Ｄ変換器１６から直接メモリ３０に書き込まれる。また、現像処理では、システム制御部５０が、画像処理部２０を制御し、必要に応じてメモリ３０に書き込まれた画像データを読み出して各種処理を行う。この撮影処理の詳細は図５を用いて後述する。
【００７１】
次に、システム制御部５０は、Ｓ３１３において、画像表示部２８に対し撮影処理で得られた画像データのクイックレビュー処理を行う。クイックレビュー処理とは、撮影画像の確認のために、被写体の撮影後、メモリカード２００への記録前に、予め決められた時間（レビュー時間）だけ画像データを画像表示部２８に表示する処理である。
【００７２】
クイックレビュー表示後、Ｓ３１４において、システム制御部５０は撮影処理で得られた画像データを画像ファイルとしてメモリカード２００に対して書き込む記録処理を実行する。
【００７３】
Ｓ３１４の記録処理が終了すると、Ｓ３１５において、システム制御部５０は、第２シャッタースイッチＳＷ２ ６４のＯＮ／ＯＦＦ状態を判定する。第２シャッタースイッチＳＷ２ ６４がＯＮの場合は、Ｓ３１５の判定を繰り返し、第２シャッタースイッチＳＷ２ ６４がＯＦＦになるのを待つ。第２シャッタースイッチＳＷ２ ６４がＯＮの間、クイックレビュー処理による表示を継続させる。即ち、Ｓ３１４の記録処理が終了した際に、第２シャッタースイッチＳＷ２ ６４がＯＦＦになるまで画像表示部２８におけるクイックレビュー表示を継続させる。このように構成することにより、ユーザは、シャッターボタンの全押し状態を継続することで、クイックレビュー表示された撮影画像データの確認を入念に行うことが可能となる。
【００７４】
ユーザがシャッターボタンを全押し状態にして撮影を行った後、シャッターボタンから手を放すなどして全押し状態が解除されると、第２シャッタースイッチＳＷ２ ６４がＯＦＦとなり、処理はＳ３１５からＳ３１６へ進む。Ｓ３１６において、システム制御部５０は、クイックレビュー表示の予め定められた最小表示時間（ミニマムレビュー時間）が経過したか否かを判断する。システム制御部５０は、ミニマムレビュー時間が経過していれば処理をＳ３１７に進め、未経過であればミニマムレビュー時間の経過を待つ。
【００７５】
Ｓ３１７において、システム制御部５０は、画像表示部２８の表示状態をクイックレビュー表示からスルー表示状態に戻す。この処理により、クイックレビュー表示によって撮影画像データを確認した後、画像表示部２８の表示状態は次の撮影のために撮像素子１４からの画像データを逐次表示するスルー表示状態に自動的に切り替わることになる。
【００７６】
そして、Ｓ３１８において、システム制御部５０は、第１シャッタースイッチＳＷ１ ６２のＯＮ／ＯＦＦを判定し、第１シャッタースイッチＳＷ１ ６２がＯＮの場合はＳ３０９へ、ＯＦＦの場合はＳ３０５へ処理を戻す。即ち、シャッターボタンの半押し状態が継続している（第１シャッタースイッチＳＷ１ ６２がＯＮ）場合は、システム制御部５０は次の撮影に備える（Ｓ３０９）。一方、シャッターボタンが放された状態（第１シャッタースイッチＳＷ１ ６２がＯＦＦ）であったならば、システム制御部５０は、一連の撮影動作を終えて撮影待機状態に戻る（Ｓ３０５）。
【００７７】
（顔検出処理）
次に、図３のＳ３０６における顔検出処理の一例を、図４に示すフローチャートを用いて説明する。上述したように、顔検出処理は被写体検出処理の一例であり、他の方法で被写体検出を行っても良い。
【００７８】
Ｓ４０１において、システム制御部５０は、顔検出対象の画像データをメモリ３０から画像処理部２０に送る。Ｓ４０２において、システム制御部５０の制御下で画像処理部２０は、画像データに水平方向バンドパスフィルタを作用させる。また、Ｓ４０３において、システム制御部５０の制御下で画像処理部２０は、Ｓ４０２で処理された画像データに垂直方向バンドパスフィルタを作用させる。これら水平及び垂直方向のバンドパスフィルタ処理により、画像データよりエッジ成分が検出される。
【００７９】
その後、Ｓ４０４において、システム制御部５０は、検出されたエッジ成分に関してパターンマッチングを行い、目及び鼻、口、耳の候補群を抽出する。そして、Ｓ４０５において、システム制御部５０は、Ｓ４０４で抽出された目の候補群の中から、予め設定された条件（例えば２つの目の距離、傾き等）を満たす一対の候補を、目の対と判断する目検出処理を行なう。そして、システム制御部５０は、目の対を形成しない候補を取り除いて目の候補群を絞り込む。
【００８０】
そして、Ｓ４０６において、システム制御部５０は、Ｓ４０５で絞り込まれた目の候補群とそれに対応する顔を形成する他のパーツ（鼻、口、耳）を対応付け、また、予め設定した非顔条件フィルタを通すことで、顔（顔領域）を検出する。Ｓ４０７において、システム制御部５０は、Ｓ４０６で検出した顔領域について、被写体情報の一例としての顔情報（顔領域の位置座標、サイズ（幅、高さ）、検出個数、信頼性係数等）を算出し、システムメモリ５２に記憶し、処理を終了する。
【００８１】
以上のようにスルー表示される画像データを用いて、画像データの特徴量を抽出して被写体情報を検出することが可能である。本実施形態では被写体情報として顔情報を例に挙げたが、スルー表示される画像データから取得できる被写体情報には他にも赤目情報等の様々な情報がある。
【００８２】
（撮影処理）
図５は図３のＳ３１２における撮影処理の一例を示すフローチャートである。
Ｓ５０１において、システム制御部５０は、撮影開始時にその日時を例えば内蔵システムタイマ（図示せず）より取得し、システムメモリ５２に記憶する。続いて、Ｓ５０２において、システムメモリ５２に記憶されている測光データに従い、絞り機能を有するシャッター１２を絞り値に応じて開放する。こうして、露光が開始される（Ｓ５０３）。
【００８３】
Ｓ５０４において、システム制御部５０は、測光データに従った露光時間の経過を待つ。露光終了時刻に到達すると、Ｓ５０５において、システム制御部５０はシャッター１２を閉じる。そして、Ｓ５０６において、撮像素子１４から電荷信号を読み出し、Ａ／Ｄ変換器１６及びメモリ制御部２２を通じて、或いはＡ／Ｄ変換器１６から直接、メモリ３０に画像データを書き込む。Ｓ５０１〜Ｓ５０６が露光処理に対応する。
【００８４】
続いて、Ｓ５０７において、システム制御部５０は必要に応じて画像処理部２０や圧縮伸長部３２を用い、メモリ３０に書き込まれた画像データに対して画像処理を行う。この画像処理には、例えば、画像処理部２０によるホワイトバランス処理や、圧縮伸長部３２を用いた圧縮処理等が含まれる。画像処理が行われた画像データはメモリ３０に書き込まれる。
【００８５】
そして、Ｓ５０８において、システム制御部５０は、メモリ３０から画像データを読み出し、これを圧縮伸長部３２を用いて伸張し、画像表示部２８での表示用にリサイズする。そして、リサイズされた画像データを画像表示部２８に表示するべくＤ／Ａ変換器２６に転送する。一連の処理を終えたならば、撮影処理を終了する。
【００８６】
（主顔選択処理）
図６は図３のＳ３２１における主顔選択処理の一例を示すフローチャートである。上述したように、主顔選択処理は主被写体選択処理の一例であり、他の方法で主被写体の選択を行っても良い。
【００８７】
システム制御部５０は、操作部７０に含まれる主顔選択ボタン（図示せず）が操作されたか否か（ＯＮかＯＦＦか）を判断する（Ｓ６０１）。そして、ＯＮであればＳ６０２へ、ＯＦＦであればＳ６０８へそれぞれ処理を進める。
【００８８】
Ｓ６０２で、システム制御部５０は、システムメモリ５２に記憶されている顔情報のうち、検出された顔（被写体）の数を参照し、顔が１つも検出されていなければＳ６０８に進む。また、顔が検出されていた場合はＳ６０３に進み、検出された顔の数が１つかどうか判定する。そして、システム制御部５０は、顔の検出数が１であればＳ６０４へ、顔の検出数が２以上であればＳ６０６へそれぞれ処理を進める。
【００８９】
Ｓ６０４において、システム制御部５０は、唯一検出された顔を主顔に設定する（Ｓ６０４）。そして、システム制御部５０は、システムメモリ５２等に記憶される主顔選択フラグを設定し（Ｓ６０５）、処理をＳ６０１に戻す。
【００９０】
顔（被写体）が複数検出されていた場合、システム制御部５０はＳ６０３において、複数の顔の１つを主顔（主被写体）に設定する。既に主顔として選択されている顔がある場合には、現在主顔に選択されている顔以外の１つ（次の１つ）を主顔に設定する（Ｓ６０６）。そして、システムメモリ５２等に記憶される主顔選択フラグを設定し（Ｓ６０７）、処理をＳ６０１に戻す。つまり、顔が複数検出されている場合、主顔選択ボタンがＯＮである間、複数の顔が順次、主顔として選択された状態となる。そのため、ユーザは、所望の顔が主顔として選択された状態になるまで主顔選択ボタンをＯＮに維持することで、所望の顔を主顔（主被写体）として選択することができる。
【００９１】
主顔選択ボタンがＯＦＦの状態であるか、主顔選択ボタンがＯＮでも顔検出数が０の場合、処理はＳ６０８に進む。Ｓ６０８でシステム制御部５０は、操作部７０に含まれる主顔選択解除ボタン（図示せず）が操作されたか否か（ＯＮかＯＦＦか）を判断する。そして、ＯＮであればＳ６０９へ、ＯＦＦであればＳ６１０へそれぞれ処理を進める。
【００９２】
主顔選択解除ボタンがＯＮの場合、Ｓ６０８でシステム制御部５０は、システムメモリ５２等に記憶される主顔選択フラグを解除し（Ｓ６０９）、処理をＳ６１０に進める。
Ｓ６１０において、システム制御部５０は、システムメモリ５２等に記憶される主顔選択フラグを参照し、フラグが設定されていればＳ３２１の主顔選択処理を終了する。
【００９３】
主顔選択フラグが設定されていない場合（Ｓ６１０）、システム制御部５０は、システムメモリ５２に記憶されている顔情報を基に主顔を決定し（Ｓ６１１）、Ｓ３２１の主顔選択処理を終了する。Ｓ６１１では例えば、顔検出数が０であれば主顔選択を行わない。また、顔検出数が１であれば検出された顔を自動的に主顔として選択する。また、顔検出数が複数、すなわち２以上の場合、位置が画面の中央に近いほど、サイズが大きいほど優先度を高くすることにより、複数の顔の中から最も優先度の高い顔を主顔として選択することができる。もちろん、位置や大きさだけでなく、信頼度など他の情報を考慮して主顔を選択しても良いことは言うまでもない。
【００９４】
（焦点検出処理）
図７は図３のＳ３２２における焦点検出処理の一例を示すフローチャートである。
システム制御部５０は現在のＡＦ枠設定が「顔優先」であるかどうかを判別する（Ｓ７０１）。そして、ＡＦ枠設定が「顔優先」以外であれば、ＡＦ枠設定に応じた焦点検出処理を行い（Ｓ７０２）、焦点検出処理Ｓ３２２を終了する。
【００９５】
一方、ＡＦ枠設定が「顔優先」であった場合、システム制御部５０はＳ７０３において、システムメモリ５２に記憶されている被写体情報の一例としての顔情報を参照する。そして、検出された顔（顔領域）と、各顔領域の中心座標を含む焦点検出領域の対応づけ（設定）を行う（Ｓ７０３）。なお、設定される焦点検出領域のうち、主顔の顔領域に対応するものを主焦点検出領域と呼ぶ。
【００９６】
ここで、中心座標は、顔領域が矩形であるとした場合、例えばその対角線の交点の座標であって良い。あるいは、重心の座標を中心座標としても良い。また、本明細書においては、顔領域を示す矩形枠を顔枠と呼ぶ。
【００９７】
Ｓ７０４で、システム制御部５０は、合焦制御部４２を制御し、Ｓ７０３で設定した焦点検出領域での焦点検出を行う。これにより、各顔領域に対応した焦点検出領域での焦点検出処理が行なわれる。焦点検出処理が終わると、システム制御部５０は処理をＳ７０５に進める。
【００９８】
Ｓ７０５でシステム制御部５０は、主焦点検出領域すなわち主顔に対応する焦点検出領域が合焦であるかどうかを調べ、合焦と判断すればＳ７０６へ、合焦と判断されなければＳ７０８へそれぞれ処理を進める。
【００９９】
Ｓ７０６で、システム制御部５０は、Ｓ７０３において顔領域と対応づけた焦点検出領域の中で、主焦点検出領域に対する焦点検出結果の被写界深度内に含まれる焦点検出領域を合焦枠として処理をＳ７０７へと進める。Ｓ７０７で、システム制御部５０は、主焦点検出領域の焦点検出結果を合焦位置とし、合焦制御部４２によりレンズ部１０のフォーカスレンズを合焦位置に駆動して焦点検出処理を終了する。
【０１００】
一方、Ｓ７０８でシステム制御部５０は合焦枠なしと判定し、処理をＳ７０９へと進める。Ｓ７０９でシステム制御部５０は、合焦制御部４２によりレンズ部１０のフォーカスレンズを予め定めた定点へと駆動して焦点検出処理を終了する。
【０１０１】
なお、図７のフローチャートでは、ＡＦ枠設定が「顔優先」の場合、顔検出数が１以上であるものとして説明したが、Ｓ７０１とＳ７０３の間で顔検出数を調べ、顔検出数が０の場合には合焦枠無しとしてＳ７０８へ処理を移すようにしてもよい。
【０１０２】
（合焦表示）
図８は図３のＳ３２３における合焦表示処理の一例を示すフローチャートである。上述の通り、合焦表示は焦点検出領域ごとの焦点検出結果を示す表示であり、「合焦」又は「非合焦」のいずれかを示す。
【０１０３】
まずＳ８０１において、システム制御部５０は現在のＡＦ枠設定を参照し、ＡＦ枠設定が９枠のＡＦエリアを設定し合焦動作を行う「ＡｉＡＦ」であれば処理をＳ８０２に進める。
【０１０４】
Ｓ８０２でシステム制御部５０は、焦点検出処理（図３のＳ３２２及び図７）の結果を参照し、結果が合焦であればＳ８０３へ、非合焦であればＳ８０４へそれぞれ処理を進める。
【０１０５】
Ｓ８０３でシステム制御部５０は、画像表示部２８を用いて、被写界深度内のＡＦ枠（焦点検出領域）をすべて合焦表示する。合焦表示は例えば、画像表示メモリ２４に記憶されている画像データに、ＡＦ枠を示す矩形枠の画像データを上書きする等により、枠をスルー表示中の画像に重畳表示することによって行うことができる。Ｓ８０３における表示例を図９（ａ）に示す。図９（ａ）では、深度内の３つのＡＦ枠１２２を合焦表示（緑枠表示）している。
【０１０６】
非合焦の場合、Ｓ８０４でシステム制御部５０は、画像表示部２８に合焦枠表示も非合焦枠表示も行わない。Ｓ８０４における表示例を図９（ｂ）に示す。
【０１０７】
Ｓ８０１においてＡＦ枠設定が「ＡｉＡＦ」でない場合、システム制御部５０はＳ８０５で、ＡＦ枠設定が「顔優先」かどうか判別する。そして、システム制御部５０は、ＡＦ枠設定が「顔優先」であった場合にはＳ８０６へ、それ以外であればＳ８１３へそれぞれ処理を進める。
【０１０８】
Ｓ８０６でシステム制御部５０は、例えばシステムメモリ５２に記憶した主顔選択フラグを参照し、主顔選択フラグが設定されていなければＳ８０７へ、設定されていればＳ８１０へ処理を進める。
【０１０９】
Ｓ８０７でシステム制御部５０は、焦点検出処理（図３のＳ３２２及び図７）の結果を参照し、結果が合焦（主焦点検出領域が合焦）であればＳ８０８へ、非合焦であればＳ８０９へ処理を進める。
【０１１０】
Ｓ８０８ではシステム制御部５０は、画像表示部２８を用いて、被写界深度内の焦点検出領域に対応する顔枠をすべて合焦表示する。表示例を図９（ｃ）に示す。図９（ｃ）は、５人の被写体に対応するＡＦ枠が全て被写界深度内に含まれる場合の表示例を示しており、５人の被写体の顔枠１２３を同様に合焦表示（緑枠表示）している。
Ｓ８０９ではシステム制御部５０は、Ｓ８０４と同様に、画像表示部２８に合焦枠表示も非合焦枠表示も行わない。従って表示例は図９（ｂ）のようになる。
【０１１１】
Ｓ８１０ではシステム制御部５０は焦点検出処理（図３のＳ３２２及び図７）の結果を参照し、結果が合焦（主焦点検出領域が合焦）であればＳ８１１へ、非合焦であればＳ８１２へ処理を進める。
【０１１２】
Ｓ８１１ではシステム制御部５０は、画像表示部２８を用いて、主焦点検出領域に対応する顔枠、すなわち主顔の顔領域のみについて合焦表示する。表示例を図９（ｄ）に示す。ここでは、主焦点検出領域以外の焦点検出領域の合焦状態に関わらず、主顔についてのみ顔枠１２４を合焦表示として表示し、主顔以外の顔領域については合焦表示（顔枠の表示）を行わない。
【０１１３】
このように、主顔選択フラグが設定されている場合、即ちユーザが自ら主顔（主被写体）を設定した場合には、主顔（主被写体）についてのみ合焦表示を行うことで、ユーザの選択した主顔を容易に把握することが可能となる。Ｓ８１１における合焦表示は、ユーザが設定した主顔を識別可能でありさえすれば、主顔以外の顔領域、即ち主被写体以外の被写体について行っても良い。例えば、図９（ｈ）に示すように、被写界深度内の他の顔領域の顔枠１２８を、主顔に対する顔枠１２４とは視覚的に異なる形態で表示してもよい。図９（ｈ）に示す例では、主顔に対する顔枠１２４と、それ以外の顔に対する顔枠１２８の色を異ならせることで、主顔の識別を容易にしたものである。色を変える以外にも、主顔の顔枠１２４のみ点滅させたり、顔枠１２４の太さを変えたりするなど、様々な方法を用いることが出来ることは言うまでもない。
【０１１４】
Ｓ８１２ではシステム制御部５０は、画像表示部２８を用いて、主顔の顔枠を非合焦表示する。表示例を図９（ｅ）に示す。ここでは、Ｓ８１１における主顔の合焦表示（図９（ｄ））と異なる色の顔枠１２５の表示を非合焦表示（黄枠表示）としている。
【０１１５】
Ｓ８０５において、ＡＦ枠設定が「顔優先」でない場合は、Ｓ８１３に進み、システム制御部５０は焦点検出処理（図３のＳ３２２及び図７）の結果を参照する。
【０１１６】
結果が合焦であった場合は（Ｓ８１３）、システム制御部５０は、画像表示部２８を用いて、ＡＦ枠の合焦表示を行う（Ｓ８１４）。ここではＡＦ枠設定が「中央」もしくは「アクティブ」であり、ＡＦ枠が１枠であることを想定している。表示例を図９（ｆ）に示す。ここでは中央のＡＦ枠１２６を合焦表示（緑枠表示）している。
【０１１７】
結果が非合焦であった場合（Ｓ８１３）、システム制御部５０は、画像表示部２８を用いて、ＡＦ枠の非合焦表示を行う（Ｓ８１５）。ここではＡＦ枠設定が「中央」もしくは「アクティブ」であり、ＡＦ枠が１枠であることを想定している。表示例を図９（ｇ）に示す。中央のＡＦ枠１２７を非合焦表示（黄枠表示）している。
【０１１８】
以上説明したように、本実施形態によれば、撮影画像中から主被写体を設定可能な撮像装置において、主被写体に関する合焦表示を、被写界深度内に含まれる他の被写体（主被写体以外の被写体）に関する合焦表示と視覚的に異ならせる。そのため、被写界深度内に含まれる被写体が多数存在していても、主被写体についての合焦状態が判別しやすくなる。
特に、主被写体をユーザが設定した場合にこのような合焦表示を行うことで、ユーザが意図した主被写体についての合焦状態が特に把握しやすくなり、利便性が高い。
【０１１９】
（第２の実施形態）
次に、本発明の第２の実施形態に係る撮像装置について説明する。
なお、本実施形態に係る撮像装置は、第１の実施形態で説明した撮像装置と合焦表示処理（図３、Ｓ３２３及び図７）のみが異なるため、合焦表示処理以外の説明は省略する。本実施形態では、ユーザが、合焦表示に関する設定を行うことが可能であり、この設定（合焦表示設定）に応じた合焦表示を行うことを特徴とする。合焦表示設定は、例えば操作部７０に含まれるメニューボタンの押下により画像表示部２８に表示されるメニュー画面（不図示）や、操作部７０に含まれる合焦表示設定用の操作部材を操作することでユーザが任意に設定可能である。例えばＡＦ枠設定と同様にＳ３０５（図３）で設定できるようにすることができる。合焦表示設定は他の設定値と同様、例えば不揮発性メモリ５６に記憶される。
【０１２０】
図１１は、本発明の第２の実施形態に係る撮像装置が行う合焦表示処理の一例を示すフローチャートである。
まずＳ１１０１において、システム制御部５０は現在のＡＦ枠設定を参照し、ＡＦ枠設定が９枠のＡＦエリアを設定し合焦動作を行う「ＡｉＡＦ」であればＳ１１０３に処理を進める。
【０１２１】
Ｓ１１０１においてＡＦ枠設定が「ＡｉＡＦ」でない場合、システム制御部５０はＳ１１０２で、ＡＦ枠設定が「顔優先」かどうか判別する。そして、システム制御部５０は、ＡＦ枠設定が「顔優先」であった場合にはＳ１１０３へ、それ以外であればＳ１１１０へそれぞれ処理を進める。
【０１２２】
Ｓ１１０３でシステム制御部５０は、例えば不揮発性メモリ５６に記憶された合焦表示設定を参照し、合焦表示設定が「深度内全表示」かどうか判定する。システム制御部５０は、合焦表示設定が「深度内全表示」であればＳ１１０４へ、そうでなければＳ１１０７へ処理を進める。
【０１２３】
Ｓ１１０４で、システム制御部５０は焦点検出処理（図３のＳ３２２及び図７）の結果を参照し、結果が合焦（９つのＡＦ枠のいずれか又は主焦点検出領域が合焦）であればＳ１１０５へ、非合焦であればＳ１１０６へ処理を進める。
【０１２４】
Ｓ１１０５でシステム制御部５０は、画像表示部２８を用いて、被写界深度内に含まれるＡＦ枠または顔枠をすべて合焦表示する。すなわち、ＡＦ枠設定に応じて、「ＡｉＡＦ」の場合は図９（ａ）、「顔優先」の場合は図９（ｃ）のような合焦表示を行う。
Ｓ１１０６ではシステム制御部５０は、画像表示部２８に合焦枠表示も非合焦枠表示も行わない（図９（ｂ））。
【０１２５】
合焦表示設定が「深度内全表示」でなければ、Ｓ１１０７において、システム制御部５０は焦点検出処理（図３のＳ３２２及び図７）の結果を参照し、結果が合焦であればＳ１１０８へ、非合焦であればＳ１１０９へ処理を進める。
【０１２６】
Ｓ１１０８でシステム制御部５０は、画像表示部２８を用いて、主焦点検出領域（ＡＦ枠）またはそれに対応する顔枠すなわち主顔の顔領域を合焦表示する。すなわち、ＡＦ枠設定に応じて、「ＡｉＡＦ」の場合は図９（ｆ）、「顔優先」の場合は図９（ｄ）のような合焦表示を行う。
【０１２７】
Ｓ１１０９でシステム制御部５０は、画像表示部２８を用いて、主焦点検出領域（ＡＦ枠）またはそれに対応する顔枠すなわち主顔の顔領域を非合焦表示する。すなわち、ＡＦ枠設定に応じて、「ＡｉＡＦ」の場合は図９（ｇ）、「顔優先」の場合は図９（ｅ）のような合焦表示を行う。上述のように、合焦表示と非合焦表示は、ＡＦ枠又は顔枠の色のみが異なっていても良い。本実施形態でも第１の実施形態と同様、合焦表示は緑（又は白）、非合焦表示は黄としている。
【０１２８】
Ｓ１１０２においてＡＦ枠設定が「顔優先」でない場合、Ｓ１１１０でシステム制御部５０は、焦点検出処理（図３のＳ３２２及び図７）の結果を参照し、結果が合焦であればＳ１１１１へ、非合焦であればＳ１１１２へ処理を進める。
【０１２９】
Ｓ１１１１で、システム制御部５０は、画像表示部２８を用いて、ＡＦ枠の合焦表示を行う。ここではＡＦ枠設定が「中央」もしくは「アクティブ」であり、ＡＦ枠が１枠であることを想定している。表示例を図９（ｆ）に示す。ここでは中央のＡＦ枠を合焦表示（緑枠表示）している。
【０１３０】
Ｓ１１１２で、システム制御部５０は、画像表示部２８を用いて、ＡＦ枠の非合焦表示を行う。ここではＡＦ枠設定が「中央」もしくは「アクティブ」であり、ＡＦ枠が１枠であることを想定している。表示例を図９（ｇ）に示す。中央のＡＦ枠を非合焦表示（黄枠表示）している。
【０１３１】
第１の実施形態においては、主顔設定をユーザが行ったか否か（主顔選択フラグが設定されているか否か）に応じて、主顔に対応する焦点検出領域の合焦表示の方法を選択するものであった。それに対し、本実施形態では、合焦表示設定が深度内全表示であるか否かに応じて、主顔に対応する焦点検出領域の合焦表示の方法を選択する。
【０１３２】
なお、上述の実施形態では撮像画面内の検出された顔の位置に対応した焦点検出領域を設定し、合焦した場合には顔に対応する焦点検出領域の合焦表示をしているが、その他の画像検出により特定の被写体を検出しても構わない。例えば、背景から被写体像を切り出して検出したりすることも考えられる。その他、外部入力手段から撮像画面内の位置を入力したり、ファインダーを見ている撮影者の視線を検出したりして撮像画面内の位置を決定しても構わない。
【０１３３】
また、上述の実施形態では、主顔選択ボタンや主顔選択解除ボタンは専用ボタンとした。しかし、主顔選択/解除操作について、専用のボタンは設けず、例えば、ＡＦ枠を設定する際に使用するボタンの長押しや、上下ボタンで対応できるようにしてもよい。また、主顔選択ボタンを設け、主顔選択ボタンの長押しにより主顔選択解除操作を実現させてもよい。
【０１３４】
本実施形態においても、ユーザの意図に応じて、主被写体についての合焦状態を把握しやすく表示することが可能になる。
【符号の説明】
【０１３５】
１０…レンズ部、１４…撮像素子、２０…画像処理部、２２…メモリ制御部、２４…画像表示メモリ、４０…露光制御部、４２…合焦制御部、４４…ズーム制御部、５０…システム制御部、５２…システムメモリ、５４…表示部、１００…デジタルカメラ
【図１】
2018097380.tif 000003
【図２】
2018097380.tif 000004
【図３】
2018097380.tif 000005
【図４】
2018097380.tif 000006
【図５】
2018097380.tif 000007
【図６】
2018097380.tif 000008
【図７】
2018097380.tif 000009
【図８】
2018097380.tif 000010
【図９】
2018097380.tif 000011
【図１０】
2018097380.tif 000012
【図１１】
2018097380.tif 000013